(57)【要約】【課題】電動モータ回転軸線方向の体格を小型化することが可能な電動圧縮機を提供すること。【解決手段】貯油室１６０を形成する容器体１６１とターミナル１８０とは、モータ部１２０回転軸線１２０ａ方向（図示Ｘ方向）における位置が互いに重なるように上下に並設されている。したがって、容器体１６１とターミナル１８０とを回転軸線１２０ａ方向に並ぶように設けた場合よりも、回転軸線１２０ａ方向の体格を小型化することができる。【選択図】図１
2008025384.tif 000002
【特許請求の範囲】
【請求項１】
ハウジング（１１０）と、
前記ハウジング（１１０）内に設けられ、回転軸線（１２０ａ）を中心に回転駆動する電動のモータ部（１２０）と、
前記ハウジング（１１０）に設けられ、前記モータ部（１２０）に前記ハウジング（１１０）の外部から給電するための給電端子（１８０）と、
前記ハウジング（１１０）内に設けられ、前記モータ部（１２０）に駆動されて、吸入した冷媒を圧縮吐出する圧縮機部（１３０）と、
前記ハウジング（１１０）内に設けられ、前記圧縮機部（１３０）の冷媒吐出圧と実質的に同圧となる高圧室（１６０）を内部に形成する高圧容器体（１６１）とを備え、
前記給電端子（１８０）と前記高圧容器体（１６１）とは、前記回転軸線（１２０ａ）方向における位置が互いに重なるように並設されていることを特徴とする電動圧縮機。
【請求項２】
前記高圧室（１６０）は、前記圧縮機部（１３０）に供給される冷凍機油を貯留する貯油室（１６０）であることを特徴とする請求項１に記載の電動圧縮機。
【請求項３】
前記高圧室（１４３Ａ）は、前記圧縮機部（１３０）から導入した圧縮吐出冷媒の脈動を低減するための脈動吸収室（１４３Ａ）であることを特徴とする請求項１に記載の電動圧縮機。
【請求項４】
前記ハウジング（１１０）の内面に加わる圧力は、前記圧縮機部（１３０）の圧縮吐出冷媒の圧力より低いことを特徴とする請求項１ないし請求項３のいずれか１つに記載の電動圧縮機。
【請求項５】
前記回転軸線（１２０ａ）が水平方向に延びるように配置されることを特徴とする請求項１ないし請求項４のいずれか１つに記載の電動圧縮機。
【請求項６】
前記冷媒は二酸化炭素であることを特徴とする請求項１ないし請求項５のいずれか１つに記載の電動圧縮機。
【発明の詳細な説明】
【技術分野】
【０００１】
本発明は、冷媒を圧縮する圧縮機部を電動モータで駆動する電動圧縮機に関する。
【背景技術】
【０００２】
従来技術として、下記特許文献１に開示された電動圧縮機がある。この電動圧縮機は、ハウジング内に電動モータと、電動モータに駆動されて吸入した冷媒を圧縮吐出する圧縮機構とを備えている。圧縮機構は電動モータの上方側に配置され、圧縮機構の上方側には、圧縮機構が圧縮吐出した冷媒が導入される高圧室であるマフラ室が設けられている。
【０００３】
また、マフラ室より上方のハウジングの上面部には、外部から電動モータへの給電端子であるターミナルが設けられている。
【特許文献１】特開２００３−９７４５８号公報
【発明の開示】
【発明が解決しようとする課題】
【０００４】
しかしながら、上記従来技術の電動圧縮機では、圧縮機構の上方側において、高圧室であるマフラ室と給電端子であるターミナルとを上下に並べて配置しているため、電動圧縮機の電動モータ回転軸線方向の体格が大きくなるという問題がある。
【０００５】
この問題点に対し、本発明者らは、高圧室と給電端子との配設位置関係を改善すれば、電動圧縮機の電動モータ回転軸線方向の体格を小さくすることが可能であることを見出した。
【０００６】
本発明は、上記点に鑑みてなされたものであり、電動モータ回転軸線方向の体格を小型化することが可能な電動圧縮機を提供することを目的とする。
【課題を解決するための手段】
【０００７】
上記目的を達成するため、請求項１に記載の発明では、
ハウジング（１１０）と、
ハウジング（１１０）内に設けられ、回転軸線（１２０ａ）を中心に回転駆動する電動のモータ部（１２０）と、
ハウジング（１１０）に設けられ、モータ部（１２０）にハウジング（１１０）の外部から給電するための給電端子（１８０）と、
ハウジング（１１０）内に設けられ、モータ部（１２０）に駆動されて、吸入した冷媒を圧縮吐出する圧縮機部（１３０）と、
ハウジング（１１０）内に設けられ、圧縮機部（１３０）の冷媒吐出圧と実質的に同圧となる高圧室（１６０）を内部に形成する高圧容器体（１６１）とを備え、
給電端子（１８０）と高圧容器体（１６１）とは、回転軸線（１２０ａ）方向における位置が互いに重なるように並設されていることを特徴としている。
【０００８】
これによると、給電端子（１８０）と高圧容器体（１６１）とがモータ部（１２０）回転軸線（１２０ａ）方向において重なるように並設されている、すなわち径方向に並ぶように設けられているので、給電端子（１８０）と高圧容器体（１６１）とを回転軸線（１２０ａ）方向に並ぶように設けた場合よりも、モータ部（１２０）回転軸線（１２０ａ）方向の体格を小型化することが可能である。
【０００９】
また、請求項２に記載の発明のように、高圧容器体（１６１）内部に形成される高圧室（１６０）は、圧縮機部（１３０）に供給される冷凍機油を貯留する貯油室（１６０）とすることができる。
【００１０】
また、請求項３に記載の発明のように、高圧容器体（１６１）内部に形成される高圧室（１４３Ａ）は、圧縮機部（１３０）から導入した圧縮吐出冷媒の脈動を低減するための脈動吸収室（１４３Ａ）とすることができる。
【００１１】
また、請求項４に記載の発明では、ハウジング（１１０）の内面に加わる圧力は、圧縮機部（１３０）の圧縮吐出冷媒の圧力より低圧であることを特徴としている。
【００１２】
このように、ハウジング（１１０）内の圧力が比較的低い場合には、ハウジング（１１０）の肉厚を薄くすること等により、一層回転軸線（１２０ａ）方向の体格を小型化することができる。
【００１３】
また、請求項５に記載の発明のように、モータ部（１２０）の回転軸線（１２０ａ）が水平方向に延びるように配置された電動圧縮機（１００）とすることができる。すなわち、所謂横置きタイプの電動圧縮機（１００）に本発明を適用することができる。
【００１４】
一般的に、高圧容器体（１６１）内の高圧室（１６０）が貯油室（１６０）である場合には、高圧容器体（１６１）はハウジング（１１０）内の下方部に配置される。したがって、電動圧縮機（１００）が横置きタイプの場合に、貯油室（１６０）の容積を充分に確保するためには、ハウジング（１１０）内の下方部に配置される高圧容器体（１６１）の回転軸線（１２０ａ）方向への大型化は避け難い。
【００１５】
そこで、請求項２に記載の電動圧縮機において、請求項５に記載の発明のようにモータ部（１２０）の回転軸線（１２０ａ）が水平方向に延びるように配置される場合、すなわち、高圧室が貯油室（１６０）であり、回転軸線（１２０ａ）が実質的に水平となるように配置される横置きタイプの電動圧縮機（１００）の場合には、給電端子（１８０）と高圧容器体（１６１）とを、モータ部（１２０）回転軸線（１２０ａ）方向における位置が互いに重なるように並設することで、回転軸線（１２０ａ）方向の体格を小型化することができる効果は極めて大きい。
【００１６】
また、請求項６に記載の発明では、冷媒は二酸化炭素であることを特徴としている。
【００１７】
冷媒として二酸化炭素を採用した場合には、冷媒圧力を極めて高くするため耐圧性確保のために電動圧縮機の体格は大型化し易い。このように、二酸化炭素冷媒を採用して高圧力下で用いられる電動圧縮機（１００）において、給電端子（１８０）と高圧容器体（１６１）とを、モータ部（１２０）回転軸線（１２０ａ）方向における位置が互いに重なるように並設することで、回転軸線（１２０ａ）方向の体格を小型化することができる効果は大きい。
【００１８】
なお、上記各手段に付した括弧内の符号は、後述する実施形態記載の具体的手段との対応関係を示す一例である。
【発明を実施するための最良の形態】
【００１９】
以下、本発明の実施の形態を図に基づいて説明する。
【００２０】
図１は、本発明を適用した一実施形態における電動圧縮機１００の概略構造を示す縦断面図である。
【００２１】
図１に示すように、電動圧縮機１００は、二酸化炭素（ＣＯ２）を冷媒（作動流体）とする冷凍サイクル装置（図示せず）に適用されるもので、内部に組み込まれたモータ部１２０によって圧縮機部１３０が駆動され、臨界圧を超える圧力にまで冷媒を圧縮して吐出する圧縮機としている。
【００２２】
本実施形態の電動圧縮機１００は、図１に示す姿勢で載置されるものであり、回転駆動するモータ部１２０の回転軸線１２０ａの延びる方向（図示Ｘ方向）が水平方向となるようになっている、所謂横置き型の電動圧縮機である。
【００２３】
ただし、回転軸線１２０ａ方向は厳密に水平方向である必要はなく、電動圧縮機１００の内部を流通する流体が、重力の影響を受けた挙動をするときに、実質的に同一の挙動をするものであれば、水平方向から若干傾斜していてもかまわない。すなわち、回転軸線１２０ａの延設方向は、実質的に水平方向であればよい。
【００２４】
モータ部１２０および圧縮機部１３０は、フロントハウジング１１１、ミドルハウジング１１２、エンドハウジング１１３が互いに接合されて形成される密閉容器としてのハウジング１１０内に収容されている。
【００２５】
本例では、フロントハウジング１１１、ミドルハウジング１１２、およびエンドハウジング１１３は、いずれも鉄製であり、ミドルハウジング１１２は、円筒形状に形成され、フロントハウジング１１１およびエンドハウジング１１３は、いずれもキャップ状（浅い有底円筒状）に形成されている。そして、フロントハウジング１１１およびエンドハウジング１１３が、ミドルハウジング１１２の両側開口端を閉塞するように溶接されている。
【００２６】
なお、ミドルハウジング１１２の上面側には、冷媒が吸入される吸入口１１２ａおよび冷媒が吐出される吐出口１１２ｂが設けられている。
【００２７】
ハウジング１１０内のモータ室１２３等の空間は、吸入口１１２ａから吸入された冷媒が導入される吸入室１４１と図示しない連通路により連通しており、ハウジング１１０の内面には、吸入冷媒圧力（圧縮前の冷媒圧力、低圧側圧力）と実質的に同等の圧力が印加されるようになっている。
【００２８】
すなわち、本実施形態の電動圧縮機１００は、ハウジング１１０の内面に圧縮吐出冷媒圧力より低い圧力が印加される、所謂低圧シェルタイプの電動圧縮機である。
【００２９】
ミドルハウジング１１２内のエンドハウジング１１３側および中間部には、それぞれ図示しない軸受けが固定される支持板１１４およびフレーム１１５が設けられており、図示しない軸受けを介して駆動シャフト１３１が回転可能に支持されている。
【００３０】
モータ部１２０は、ミドルハウジング１１２内に形成されるモータ室１２３に収容されるロータ部１２１とステータ部１２２とからなる。
【００３１】
ロータ部１２１は、駆動シャフト１３１に固定されており、ステータ部１２２はロータ部１２１の外周側でミドルハウジング１１２の内周面に圧入によって固定されている。そして、図示しない外部電源からの電力が、給電端子であるターミナル１８０を介してステータ部１２２に供給されると、ロータ部１２１の回転に伴って駆動シャフト１３１が回転駆動されるようになっている。
【００３２】
圧縮機部１３０は、内部部材としての可動スクロール１３５と固定スクロール１３６とを有する周知のスクロール式圧縮機をなすものである。固定スクロール１３６は、ミドルハウジング１１２内の反モータ部側に固定されており、この固定スクロール１３６に噛み合うように可動部材としての可動スクロール１３５が配設されている。
【００３３】
可動スクロール１３５の反固定スクロール側には駆動シャフト１３１の先端部に設けられた偏心部１３１ａが図示しない軸受けを介して挿入されている。そして、可動スクロール１３５は、図示しない自転防止機構によって駆動シャフト１３１の回転駆動に伴い固定スクロール１３６に対して公転するようになっている。
【００３４】
両スクロール１３５、１３６間の外周側には吸入室１４１が形成され、中心側に向けて圧縮室１４２が形成されている。
【００３５】
また、固定スクロール１３６には、圧縮室１４２で圧縮された冷媒を吐出室１４３に吐出するための吐出ポート１３６ａが形成されている。吐出ポート１３６ａは固定スクロール１３６の中心部に設けられた孔として形成されており、吐出室１４３は、固定スクロール１３６の図示右方側（フロントハウジング１１１側、反モータ部側）に形成されている。
【００３６】
そして、ハウジング１１０内の吐出室１４３から吐出口１１２ｂに至る冷媒流通経路には、オイルセパレータ１５０が設けられている。
【００３７】
オイルセパレータ１５０は、圧縮機部１３０の吐出側で冷媒中に含まれる冷凍機油（潤滑油）を分離する遠心分離式の潤滑油分離器であり、分離パイプ１５１、分離筒１５２、導入通路１５３、排出孔１５４からなる。
【００３８】
分離パイプ１５１は、外径寸法が２段に設定されたパイプ部材である。分離筒１５２は上下方向に延びる円柱形状の空間を形成するものであり、分離パイプ１５１の外径の大きい側は、分離筒１５２の上側に圧入固定されている。
【００３９】
これにより、分離パイプ１５１の外径の小さい側は、分離筒１５２の中心軸上を下方に向けて延び、下端を分離筒１５２の中心軸上に開口している。そして、分離パイプ１５１の上端開口は、吐出口１１２ａに連通している。
【００４０】
導入通路１５３は、吐出室１４３からの冷媒を、分離筒１５２内周面の接線方向から分離筒１５２上部に導入するように形成されている。また、分離筒１５２の下側には容器体１６１内部に形成される貯油室１６０に連通する排出孔１５４が設けられている。
【００４１】
この構成により、分離筒１５２内で遠心分離された冷凍機油は排出孔１５４から落下して貯油室１６０に導入され、冷媒は分離パイプ１５１内を介して吐出口１１２ａに送られるようになっている。
【００４２】
貯油室１６０は、上記オイルセパレータ１５０によって冷媒中から分離された冷凍機油を溜めるものである。貯油室１６０内は、吐出室１４３から導入通路１５３、分離筒１５２、排出孔１５４を経て冷媒の吐出圧力（高圧側圧力）が付加されるため、冷媒吐出圧と実質的に同圧となる本実施形態における高圧室である。また、内部に貯油室１６０を形成する容器体１６１は、本実施形態における高圧容器体に相当する。
【００４３】
吐出圧力が印加される貯油室１６０に貯留された冷凍機油は、圧縮機部１３０の吸入側圧力（圧縮前の冷媒圧力）との差圧や、吸入側圧力と吐出側圧力との中間圧力との差圧により、図示しない還流通路を介して、圧縮機部１３０の摺動部や前述した図示しない軸受部に供給されるようになっている。
【００４４】
図示しない外部電源（ハウジング１１０の外部の電源）からの電力をモータ部１２０のステータ部１２２に給電するためのターミナル１８０は、フロントハウジング１１１の上方部においてフロントハウジング１１１を貫通するように配設されている。そして、ターミナル１８０とフロントハウジング１１１との間は、ハーメチックシール１８１により封止されている。
【００４５】
前述した貯油室１６０を形成する容器体１６１は、ターミナル１８０よりも下方側に配設されており、図示右方側の端面１６１ｂは、キャップ形状をなすフロントハウジング１１１の図示左方側の周状の端面１１１ａより図示右方側にある。すなわち、容器体１６１は、貯油容積を確保するために圧縮機部１３０側から図示右方側に延びて、キャップ形状をなすフロントハウジング１１１の内側にまで突出している。
【００４６】
一方、フロントハウジング１１１に貫通配置されたターミナル１８０の内側の端部１８０ａは、容器体１６１の端面１６１ｂよりも図示左方側にある。すなわち、ターミナル１８０と容器体１６１とは、図示Ｘ方向（回転軸線１２０ａの延びる方向）において、一部が重なっている（ラップしている）。図１に示すように、ターミナル１８０と容器体１６１とは、図示Ｘ方向（回転軸線１２０ａの延びる方向）において寸法Ｌ１だけ重なるように、上下方向に並設されている。
【００４７】
さらに換言すれば、ターミナル１８０と容器体１６１とは、回転軸線１２０ａが延びる方向における位置が互いに重なるとともに、互いが上下方向に並ぶように配設されている。
【００４８】
上記構成の電動圧縮機１００の作動を簡単に説明する。
【００４９】
電動圧縮機１００はターミナル１８０を介してモータ部１２０に給電されると、モータ部１２０の駆動によって可動スクロール１３５が公転作動され、吸入口１１２ａから吸入室１４１に流入する冷媒を圧縮室１４２で圧縮する。そして、圧縮室１４２で圧縮された冷媒が所定の吐出圧力に達すると、冷媒は吐出ポート１３６ａから吐出室１４３に吐出される。
【００５０】
さらに、冷媒は吐出室１４３からオイルセパレータ１５０の導入通路１５３を介して分離筒１５２内に流入する。この時冷媒は分離パイプ１５１と分離筒１５２との間で旋回しながら下方に流れ、比重の小さい冷媒は分離パイプ１５１内に流入し、吐出口１１２ａから流出する。
【００５１】
一方、冷媒中の比重の大きい冷凍機油は遠心力によって分離筒１５２の内周壁側に分離され、重力によって下降し、排出孔１５４からオイルセパレータ１５０下方側の貯油室１６０に貯留される。
【００５２】
そして、貯油室１６０に貯留された冷凍機油は、貯油室１６０と吸入室１４１等との圧力差によって還流され、圧縮機部１３０等の潤滑を行う。
【００５３】
上述の電動圧縮機１００の構成によれば、ターミナル１８０と容器体１６１とは、回転軸線１２０ａ方向（図示Ｘ方向）における位置が互いに重なるとともに、径方向となる上下に並設されているので、ターミナル１８０と容器体１６１とを回転軸線１２０ａ方向に並ぶように設けた場合よりも、回転軸線１２０ａ方向の体格を小型化することができる。
【００５４】
特に、本実施形態の電動圧縮機１００は横置きタイプであり、容器体１６１はオイルセパレータ１５０より下方側に配置する必要があるため、貯油容量の確保を目的として、容器体１６１はハウジング１１０の下方部において回転軸線１２０ａ方向に比較的長い形状をなしている。これに対し、ターミナル１８０を容器体１６１の上方に並設することで、回転軸線１２０ａ方向の体格の拡大を抑止している。
【００５５】
また、本実施形態の電動圧縮機１００は低圧シェルタイプであり、ハウジング１１０の内面に加わる圧力は、圧縮機部１３０の吸入冷媒圧力とほぼ同等である。したがって、吐出冷媒圧力が印加される場合よりもハウジング１１０の肉厚を薄くすることが可能であり、回転軸線１２０ａ方向の体格を一層小型化できるばかりでなく、径方向の体格も小型化することができる。
【００５６】
また、吸入して圧縮吐出する冷媒は二酸化炭素であり、圧縮機部１３０では臨界圧力を超える圧力にまで冷媒を圧縮している。そのため、ハウジング１１０を含む各部構成は、耐圧強度を確保するために重量や厚さ等が大きくなりやすい。これに対し、ターミナル１８０と容器体１６１との配置構成により回転軸線１２０ａ方向の体格を小型化することができる効果は極めて大きい。
【００５７】
また、ハウジング１１０は、フロントハウジング１１１、ミドルハウジング１１２、エンドハウジング１１３の３部材に分割形成し（別体として形成し）、相互に接合している。そして、ターミナル１８０はフロントハウジング１１１にハーメチックシール１８１を介して装着されている。これにより、ハウジング１１０内部の構成を組み付け易いばかりでなく、ハウジング１１０にターミナル１８０を挿設する加工も容易に行うことができる。
【００５８】
（他の実施形態）
上記一実施形態では、高圧容器体が形成する高圧室は貯油室１６０であったが、冷媒吐出圧と実質的に同圧となるものであれば、これに限定されるものではない。例えば、図２に示すように、圧縮機部１３０が圧縮吐出した冷媒を導入し、脈動を低減するための脈動吸収室としてのマフラ室１４３Ａを高圧室とするものであってもよい。
【００５９】
図２に示すように、マフラ室１４３Ａを形成する高圧容器体としての容器体１６１Ａとターミナル１８０とを、モータ部１２０回転軸線１２０ａ方向（図示Ｘ方向）における位置が互いに重なるように径方向に並設することで、回転軸線１２０ａ方向の体格を小型化することができる。
【００６０】
また、マフラ室１４３Ａを比較的大きく形成することができるので、脈動低減効果、消音効果、および接続部品の振動低減効果等を良好に得ることができる。
【００６１】
なお、図２に図示した電動圧縮機１００Ａでは、上記一実施形態（図１）と同様の部分については、同一の符号をつけ、その説明を省略している。
【００６２】
また、上記一実施形態では、モータ部１２０の回転軸線１２０ａ方向を実質的に水平方向とした横置きタイプの電動圧縮機１００について説明したが、回転軸線方向は水平方向に限定されるものではない。例えば、図２に示すように、回転軸線１２０ａ方向（図示Ｘ方向）が実質的に垂直となる所謂縦置きタイプの電動圧縮機１００Ａであっても、本発明を適用して有効である。
【００６３】
また、上記一実施形態では、ハウジング１１０の内面に圧縮機部１３０の吸入冷媒圧力と実質的に同等の圧力が印加される、所謂低圧シェルタイプの電動圧縮機について説明したが、ハウジング１１０内面への印加圧力は吸入冷媒圧力とほぼ同等圧力に限定されるものではない。
【００６４】
ハウジング１１０内面への印加圧力が、吸入冷媒圧力より高いものの吐出冷媒圧力より低い中間圧力であってもかまわない。
【００６５】
また、ハウジング１１０の内面に吐出冷媒圧力と実質的に同等の圧力が印加される所謂高圧シェルタイプの電動圧縮機に本発明を適用するものであってもよい。
【００６６】
具体例を図３で説明する。電動圧縮機１００Ｂでは、圧縮室１４２で圧縮され吐出された冷媒は、マフラ室１４３Ａを介して、通路Ａを通り、モータ室１２３に流れる。モータ室１２３では、冷媒と冷凍機油に分離される。分離された冷凍機油は、容器底部に貯油され、オイルポンプ等により圧縮機部１３０へ供給される。一方、冷媒は通路Ｂを通り、吐出口１１２ｂより外部機器へ供給される。このように、軸方向における給電端子１８０とマフラ室１４３Ａを形成する容器体１６１Ａの位置が図示Ｘ方向において互いに重なるように並設されることで、上記一実施形態や図２に例示した電動圧縮機と同様に小型化が可能となる。特に二酸化炭素等の冷媒を用いる高圧シェルタイプでは、ハウジング１１０の肉厚が厚くなるため大型化を防止するのに有効である。
【００６７】
なお、図３に図示した電動圧縮機１００Ｂでは、上記一実施形態（図１）および図２に例示した電動圧縮機と同様の部分については、同一の符号をつけ、その説明を省略している。
【００６８】
また、上記一実施形態では、圧縮機部１３０は、スクロール式圧縮機構であったが、これに限定されるものではなく、例えばベーン式の圧縮機構であってもよい。
【００６９】
また、上記一実施形態では、冷媒は二酸化炭素であり圧縮機部１３０で超臨界圧まで圧縮加圧するものであったが、これに限定されるものではない。圧縮後の圧力が臨界圧以下であってもよいし、冷媒にフロン等を用いるものであってもよい。
【図面の簡単な説明】
【００７０】
【図１】本発明を適用した一実施形態における電動圧縮機１００の概略構造を示す縦断面図である。
【図２】他の実施形態における電動圧縮機１００Ａの概略構造を示す縦断面図である。
【図３】他の実施形態における電動圧縮機１００Ｂの概略構造を示す縦断面図である。
【符号の説明】
【００７１】
１００、１００Ａ、１００Ｂ  電動圧縮機
１１０  ハウジング
１１１  フロントハウジング（ハウジングの一部）
１１２  ミドルハウジング（ハウジングの一部）
１１３  エンドハウジング（ハウジングの一部）
１２０  モータ部
１２０ａ  回転軸線
１３０  圧縮機部
１４３Ａ  マフラ室（脈動吸収室、高圧室）
１５０  オイルセパレータ
１６０  貯油室（高圧室）
１６１、１６１Ａ  容器体（高圧容器体）
１８０  ターミナル（給電端子）
【図１】
2008025384.tif 000003
【図２】
2008025384.tif 000004
【図３】
2008025384.tif 000005